(57)【特許請求の範囲】
【請求項１】
ベッドに備えられる手摺りであって、
少なくともベッド側縁の長手方向に取着される手摺回動軸と、
この手摺回動軸を中心に回動する手摺りを所定位置に保持する保持具とを備え、
前記保持具は、
前記手摺りを、前記ベッドの主面に対し少なくとも起立した状態で保持する起立位置保持手段と、
前記ベッドの主面に対し水平状態で保持する水平位置保持手段とを有し、
前記起立位置保持手段は、
前記手摺回動軸に平行な軸線上を移動する移動軸と、
前記ベッドの周縁のうち前記手摺りが取り付けられる縁に備えられ、前記移動軸を手摺りに対して外方に移動した時に前記移動軸に嵌合する軸受とを有するベッド用手摺り。
【請求項２】
前記手摺りは前記各保持手段による手摺りの保持状態の維持および解除を操作するスライド式把手および当該把手の動きに合わせて振り子状に回動する力棒を有し、力棒の回動に応じて前記移動軸が作動することを特徴とする請求項１に記載のベッド用手摺り。
【請求項３】
前記手摺りは板形状を呈するとともに起立時における側面相当部には前記力棒を回動支持する支点軸を有し、前記力棒のうち前記支点軸の両側に前記力棒に対して回動自在な作用棒を有し、この作用棒に前記移動軸が回動自在に取着されていることを特徴とする請求項２に記載のベッド用手摺り。
【請求項４】
前記水平位置保持手段は、前記手摺りの起立時における側面相当部に前記移動軸の移動に応じて回動変化し前記側面相当部に対して植立状態および横臥状態になる回動板を備え、回動板を前記植立状態にした状態で手摺りを水平にすると当該回動板が前記ベッドの周縁に当接しもって前記手摺りを水平状態に保持する機構であることを特徴とする請求項３に記載のベッド用手摺り。
【請求項５】
前記回動板は、前記手摺りが起立または垂下した時に前記側面相当部に対して鉛直方向に延在する回動軸を有し、この回動軸を回動中心として回動することを特徴とする請求項４に記載のベッド用手摺り。
【請求項６】
前記回動軸は少なくともその一部にピニオン部を有し、前記移動軸はこのピニオン部と噛合する複数の歯溝を有することを特徴とする請求項５に記載のベッド用手摺り。
【発明の詳細な説明】
【０００１】
【発明の属する技術分野】
本発明はベッド用手摺りおよび手摺付きベッドに関する。
【０００２】
【従来の技術】
従来より介護用ベッドには手摺りがついており、患者の寝起きの介助に供されている。
【０００３】
これまでの手摺りは、ベッド主面側縁に折り畳み可能に取り付けられた平行クランク式のものであった。
【０００４】
平行クランク式手摺りとは、周知のごとく二組の相対するパイプをピン継ぎ手をもって連結して平行四辺形を形成し、患者が寝ているときはこれを起立させてベッドから患者が落ちないようにする一方、患者がベッドから出入りし易いように折り畳めるようにしたものである。
【０００５】
【発明が解決しようとする課題】
ところで患者が起きあがりベッドから立ち上がろうとするときにベッドの脚が高くベッド上面にはマットレスが敷かれてあるので床との間が離れいるため、特に背丈の低い患者にとっては床に足を付くのに負担になる場合が少なくない。
【０００６】
また、複数の患者を収容する病室では患者一人当たりに割り当てられるスペースには限りがあり、複数の見舞客が来た場合に介護用ベッドの周囲に皆が着座するだけのスペースがない場合が少なくない。
【０００７】
さらに、見舞客の手荷物の置場がない場合もある。
【０００８】
加えて、長期入院をすると荷物も増加し、その置き場所に苦慮する。
【０００９】
本発明は、斯かる実情に鑑みてなさたものであり、その解決しようとする課題は、患者が寝ているときはこれを起立させてベッドから落ちないようにしたり、患者がベッドから出入りする場合には手摺りを倒して邪魔にならないようにするのは勿論、患者がベッドから立ち上がったり、あるいはベッドに入る時に患者に掛かる負担を減らしたり、さらには倒した手摺りをベッドと水平にすることで手摺りを椅子や荷物置場として利用すことができる技術を提供しようとするものである。
【００１０】
【課題を解決するための手段】
そこで本発明は次のような手段を採用した。
【００１１】
すなわち、本発明は、ベッドの縁を手摺りの回動中心とし、手摺りを自在に回動できるように取り付ける。そして、回動した手摺りを所定位置で保持するための保持具を備える。すなわち、手摺りの回動軸と平行でかつ非同一な軸線の上を手摺りに対して外方に移動する移動軸を設ける。そしてこの移動軸が手摺りの外方にある状態で移動軸をベッドに固定できるようにすれば、移動軸は手摺回動軸と非同一な軸線上にあるので、前記非同一軸線と手摺回動軸との位置関係が相俟って、手摺りを起立させたり垂下させたりした時にその状態を維持できる。移動軸を固定するのにベッドの側縁に前記移動軸と嵌合する軸受を設けることが好ましい。
【００１２】
また、手摺りには前記各保持手段による手摺りの保持状態の維持および解除を操作するスライド式の把手および当該把手の動きに合わせて振り子状に回動する力棒を備えるようにし、力棒の回動に応じて移動軸を作動する。
【００１３】
そして前記手摺りを板形状とし、手摺りを起立させた時における手摺りの側面相当部には前記力棒を回動支持する支点軸を備えるようにし、力棒のうち支点軸の両側には力棒に対して回動自在な作用棒を有するようにし、この作用棒に前記移動軸を回動自在に取着する。
【００１４】
手摺りを水平状態で保持するには、前記手摺りの起立時における側面相当部に、前記移動軸の移動に応じて回動変化し前記側面相当部に対して植立状態および横臥状態になる回動板を適用する。そして手摺りがベッドの主面に対して水平にあるときにこの回動板を手摺りの側面相当部に下垂状態で植立するようにし、かつ回動板が前記ベッドの側板に当接するように設定する。このようにすれば、手摺りが手摺回動軸を中心にその自重で下方向に回転しようにもその動きがベッドの側縁で抑止できるので、前記手摺りは水平状態を維持する。なお手摺りが水平状態にあるとは、厳密に水平というわけではなく、水平面に対して幾分傾斜している状態をも含む。例えば水平に対して幾分上方に傾斜角度がついていれば、水平状態にある手摺りに患者が座ってもそこから滑り落ちにくくなる。
【００１５】
また前記回動板に前記手摺りを起立または垂下した時に前記側面相当部に対して鉛直方向に延在する回動軸を有するようにし、この回動軸を中心にして前記回動板を回動させる。回動軸の回動用に回動軸にピニオン部を形成する。加えて移動軸にこのピニオン部とラック状に噛合する歯溝を設ける。そして回動板の回動軸のピニオン部に移動軸の歯溝を噛み合わせれば、あたかもラック＆ピニオンの噛合関係が両部材間で構築される。
【００１６】
さらに移動軸は作用棒と、また作用棒は力棒と、そして力棒は把手と連結してある。よって、把手をスライドすることにより、把手−力棒−作用棒−移動軸−ラック＆ピニオン−回動軸の順で力が伝達され、最終的に回動軸を有する回動板が把手の操作で回転する。なお移動軸は、把手のスライドに合わせて前記軸線上を移動するようになっているので、移動軸が軸線から脱線することに起因して回動軸のピニオン部と移動軸の歯溝との噛合が解かれてしまうことはない。
【００１７】
しかして、手摺りが起立状態および垂下状態になる位置では回動板が手摺りの側面相当部に対して横臥状態になるように、また手摺りが水平状態になる位置では回動板が手摺りの側面相当部に対して下垂方向に植立状態になるように前記各構成部材の寸法，配置，設定具合等の調整を行う。
【００１８】
このような手摺りは、ベッドの側縁ばかりでなく短縁に備えることもできる。本発明は以上の構成を採用するから、患者が寝ているときは手摺りを起立させてベッドから患者が落ちないようにしたり、患者がベッドから出入りし易いように手摺りを垂下したりすることができるのは勿論、患者がベッドから出入りする場合には、把手のスライド操作によって移動軸と軸受との嵌合を解きかつ手摺りを水平状態にまで回動すれば、手摺りを患者が一旦休む場、換言すれば踏み段として機能させられる。
【００１９】
よって、患者は一旦手摺りに腰掛けることができるので、患者に掛かる負担を軽減できる。
【００２０】
また手摺りを水平にすれば、手摺りを椅子や荷物置場としても利用できる。
【００２１】
【発明の実施の形態】
以下、本発明の実施の形態を図示例と共に説明する。
【００２２】
各図において符号１は介護用ベッドを示唆する。
【００２３】
介護用ベッド１は四方が周縁板、すなわち長側板３Ｌ，３Ｒ，短側板３Ｈ，３Ｆによって囲繞され、上面５には図示しないマットレスが置かれるようになっている。上面５は介護用に図２に示すように屈曲可能であり、上面５に載置されるマットレスも上面５に合わせて屈曲可能に形成される。上面５はベッド１の主用な部分であるからこれをベッド１の主面と称す場合がある。
【００２４】
そして、本発明に係るベッド用手摺り（以下単に「手摺り」）を符号９で示し、この手摺り９は、前記周縁板３Ｌ，３Ｒ，３Ｈおよび３Ｆに取り付けられる。
【００２５】
手摺り９の取付けは、周縁板３Ｌ，３Ｒ，３Ｈおよび３Ｆの長手方向に沿ってなされる。
【００２６】
手摺り９は台形状をした中空の板状体であり、その内部は本実施形態の手摺り９特有の機構が包蔵されている。当該機構については順を追って説明する。
【００２７】
図３〜図１０に示すように、手摺り９の各周縁板３Ｌ，３Ｒ，３Ｈ，３Ｆへの取付けは一対の蝶番１１，１１で行う。
【００２８】
すなわち、蝶番１１の揺動片１１ａ，１１ｂのうちの一方１１ａを各周縁板３Ｌ，３Ｒ，３Ｈ，３Ｆの長手方向上縁における適宜の箇所に取り付けて同一軸線上に蝶番１１，１１を位置させる。そして他方の揺動片１１ｂを手摺り９の下縁に螺着する。前記同一軸線を蝶番１１，１１の並び線と称し、符号１０で示す（図３〜図８，図１０参照）。
【００２９】
この実施形態では、周縁板３Ｌ，３Ｒ，３Ｈ，３Ｆのうち長側板３Ｌおよび３Ｒには手摺り９が二個配列され，短側板３Ｈおよび３Ｆには手摺り９が一個配列されたものを示す。
【００３０】
蝶番１１，１１を介して手摺り９を取着すると、蝶番１１，１１、換言すれば蝶番１１，１１の並び線１０は、蝶番１１，１１が二つ一組で形成される、手摺回動軸として機能する。すなわち手摺り９は、並び線１０を回動中心にした軌道１２に沿って回動する（図１０参照）。
【００３１】
また手摺り９は、手摺り９の軌道１２内所定位置に手摺り９を保持する保持具１３を備えている（図１３、図１４，図１８参照）。軌道内所定位置とは、手摺り９が起立および垂下した位置とベッド１の主面である上面５に対して水平な位置をいう。手摺り９が起立，垂下および水平な位置にある状態をそれぞれ図１，図５，図１０の矢印（１），（２）および（３）で示す。
【００３２】
保持具１３は、手摺り９をベッド上面５に対し起立させた状態で保持する起立位置保持手段１５と、手摺り９をベッド上面５に対し水平にさせた状態で保持する水平位置保持手段１７を有する。なお手摺りが水平状態にあるとは、厳密に水平というわけではなく、水平面に対して幾分傾斜している状態をも含む。
【００３３】
起立位置保持手段１５は、並び線１０に非同一で平行な仮想の軸線１９上を移動する一対の移動軸２１，２１と、周縁板３Ｌ，３Ｒ，３Ｈ，３Ｆに備えられ前記移動軸２１および２１にそれぞれ嵌合する軸受２３，２３とを構成要素に含む。
【００３４】
移動軸２１と軸受２３との嵌合は、手摺り９が起立している状態の上縁に設けられた把手（以下単に「把手」）２５のスライド操作によって患者や看護婦等が行う。
【００３５】
把手２５は、前記上縁にスライド可能に取着され把手２５の操作によって手摺り９の起立状態および水平状態を保持しまたは解除するための操作部分である。図１１〜図１８に示すように、把手２５は、その動きに合わせて振り子状に回動する力棒２８を有し、力棒２８の回動に応じて前記移動軸２１，２１が作動する。
【００３６】
また、手摺り９は力棒２８を回動支持する支点軸３２を内部に有する。支点軸３２は、手摺り９の内部で主面９ａ（詳しくは手摺り９の起立時における側面相当部）に植立している。そして、力棒２８のうち支点軸３２を中心にしたその両側に力棒２８に対して回動自在な作用棒３４，３６を有する。そしてこの作用棒３４，３６に前記移動軸２１，２１が回動自在に取着されている。
【００３７】
次に水平位置保持手段１７について説明する。
【００３８】
水平位置保持手段１７は、手摺り９の主面９ａの外部に前記移動軸２１，２１の移動に応じて回動変化し、主面９ａに対して植立状態（図１３〜図１６参照）および横臥状態（図３〜図７，図１１，図１７，図１８参照）になるほぼ矩形状の回動板３８，３８を備えてなる。そして手摺り９がベッド１の主面５に対して水平にあるときにこの回動板３８，３８を手摺り９の主面９ａに下垂状態で植立するようにし、かつ回動板３８，３８がベッド１の周縁板３Ｌ，３Ｒ，３Ｈ，３Ｆにそれらの各一縁３８ａ，３８ａで当接し、もって手摺り９を水平状態に保持する（図１０，図１２，図１５参照）。
【００３９】
回動板３８，３８が回動するように、回動板３８，３８は回動軸４０を有する。回動軸４０は、手摺り９内部に備えられ、手摺り９が起立または垂下した時に手摺り９の主面９ａに対して鉛直方向に延在する棒材である。そして、この回動軸４０を回動中心にして回動板３８は回動する（図１３参照）。また回動軸４０は、少なくともその一部にピニオン部４２を有する（図１１〜図１８参照）。
【００４０】
そして、前記した移動軸２１，２１にはこのピニオン部４２と噛合する複数の歯溝５０が形成されてラックのごとき形態を呈する（図１１，図１３，図１５，図１６参照）。
【００４１】
次に実施形態の作用効果を述べる。
【００４２】
本実施形態にあっては、ベッド１に装着された手摺り９が、ベッド１の周縁板３Ｌ，３Ｒ，３Ｈおよび３Ｆを恰も回動中心として回動できるように蝶番１１，１１で取り付けられ、回動した手摺り９を所定位置で保持できるように保持具１３を備え、保持具１３により手摺り９はベッド上面５に対して少なくとも起立状態および水平状態を積極的に維持固定する。
【００４３】
また、手摺り９が垂下した状態でも手摺り９の当該状態を固定できるように、手摺り９が垂下した時に移動軸２１と嵌合する軸受（図示せず）をベッド１の周縁板３Ｌ，３Ｒ，３Ｈおよび３Ｆの外表面に設けてもよい。
【００４４】
さらに、移動軸２１に係る軸線１９と蝶番１１，１１に係る並び線１０とが平行であり、移動軸２１は軸受２３によってベッド１に固定できるので軸線１９と並び線１０の位置関係が相俟って手摺り９は起立状態となる。また少なくとも起立状態で軸受２３に移動軸２１が嵌合するので、手摺り９は起立状態でその回動が阻止され安定する。よって、安全面でも優れたものといえる。
【００４５】
さらに、手摺り９には前記した保持手段１５や１７による手摺り９の保持状態の維持および解除を操作するスライド式の把手２５および把手２５の動きに合わせて振り子状に回動する力棒２８の回動に応じて移動軸２１が作動する。
【００４６】
そして力棒２８は支点軸３２に回動支持され、力棒２８には支点軸３２を中心としたその両側には回動自在な作用棒３４，３６を有し、作用棒３４，３６に移動軸２１が回動自在に取着されている。また移動軸２１は把手２５のスライド操作に応じて軸線１９上を手摺り９に対して移動し出没する。
【００４７】
また手摺り９を水平状態で保持するために手摺り９の主面９ａには、移動軸２１の移動に応じて回動変化しかつ主面９ａに対して植立状態になる回動板３８が適用され、手摺り９がベッド１の主面５に対して水平にあるときにこの回動板３８を手摺り９の主面９ａに下垂状態で植立するよう把手２５をスライドすると回動板３８がその一縁３８ａでベッド１の周縁板３Ｌ，３Ｒ，３Ｈ，３Ｆに当接する。よって、このような状況下では手摺り９が蝶番１１，１１を中心にその自重で下方向に回転しようにも、その動きは、周縁板３Ｌ，３Ｒ，３Ｈ，３Ｆに抑止され、手摺り９は水平状態を維持する。
【００４８】
また回動板３８の回動軸４０にピニオン部４２を有し、ピニオン部４２が移動軸２１に形成された複数の歯溝５０とラック＆ピニオン状に噛合し、さらには移動軸２１は作用棒３４と、また作用棒３４は力棒２８と、そして力棒２８は把手２５と連結しているので、把手２５のスライド操作により、把手２５−力棒２８−作用棒３４−移動軸２１−ピニオン部４２と歯溝５０とからなるラック＆ピニオン機構−回動軸４０の順で力が伝達され、最終的に回動軸４０を有する回動板３８が把手２５の操作で回転する（図１１〜図１８参照）。
【００４９】
さらに手摺り９が起立状態または垂下状態になる位置では回動板３８が手摺り９の主面９ａに対して横臥状態になるように、また手摺り９が水平状態になる位置では回動板３８が手摺り９の主面９ａに対して下垂方向に植立状態になるよう前記各構成部材の設定および調整をしてあるので、患者が寝ているときは手摺り９を起立させてベッド１から患者が落ちないようにでき、また患者がベッド１から出入りし易いように手摺り９を垂下することができるのは勿論、手摺り９を水平にすれば、患者がベッド１に対して出入りする場合に手摺り９が手摺り上で一旦休むことができる踏み段状物として機能するようになるので、患者の負担を減らすこともできる。すなわち、急にベッドから床に立ち上げがるわけではなく、水平状態にある手摺り９によってワンクッションおかれたようになるので、この点でも患者にとって負担が軽減されかつ安全面に優れたものといえる。さらには手摺り９を水平にすれば、手摺り９を椅子や荷物置場としても利用できる。
【００５０】
なお、手摺り９を水平状態に保持する機構としては、図１９〜図２１および図２２〜図２４に示すようなものも考えられる。
【００５１】
すなわち、ベッド１の周縁板３Ｌ，３Ｒ，３Ｈ，３Ｆに対して水平に出没しかつ進出時は手摺り９の軌道内にまで至る棒材５６または板材５８の適用もできる。
【００５２】
棒材５６の場合、棒材５６はその一端固定他端自由で固定側がベッド１の周縁板に回動自在に取着された片持ち梁状を呈する。また棒材５６を周縁板３Ｌ，３Ｒ，３Ｈおよび３Ｆに収納できるようにしてある。
【００５３】
また板材５８の場合、板材５８はその表面に複数の歯溝（図示せず）を有するラック状板材であって、この板材５８はその複数の歯溝に駆動モータ６２で回転するピニオンギヤ６４が噛み合わされている。
【００５４】
尚、本発明は、上述の図示例にのみ限定されるものではなく、本発明の要旨を逸脱しない範囲内において種々変更を加え得ることは勿論である。例えば、この実施形態では、手摺り９を中空の板状体として例示したが、既述した本発明に係る構成要素を有していれば、手摺りの形態は制限されない。例えば手摺りの骨組みになる部位を設けるとともに当該部位に金網や格子状に板や棒材を取着して手摺り内部が見えるようにすることも考えられる。
【００５５】
【発明の効果】
以上、説明したように本発明によれば、患者が寝ているときはこれを起立させてベッドから患者が落ちないようにしたり、患者がベッドから出入りする場合には手摺りを垂下して手摺りが邪魔にならないようにしたりできるのは勿論であるが、患者にとってベッドからの立ち上がり時の負担を減らすことができる。
【００５６】
また、手摺りを倒してベッドと水平状態にすることで、手摺りを椅子や荷物置場として利用することもできる。
【図面の簡単な説明】
【図１】本発明実施の形態に係るベッド用手摺りを採用した手摺付きベッドの斜視図である。
【図２】本発明実施の形態に係るベッド用手摺りを採用した手摺付きベッドの平面図である。
【図３】図２の矢印III方向から見た正面図である。
【図４】図２の矢印IV方向から見た背面図である。
【図５】図２の矢印V方向から見た正面図である。
【図６】図２の領域Ａを矢印VI方向から見た要部拡大図である。
【図７】図６の矢印VII方向から見た要部拡大図である。
【図８】図６の拡大側面図である。
【図９】図２の領域Ｂの要部拡大図である。
【図１０】図９の矢印X方向から見た図である。
【図１１】図１の矢印XI方向から見た透視図であって手摺りが起立状態でロックされた状態を示す図である。
【図１２】図１１の矢印XII方向から見た図である。
【図１３】図１１の状態においてロックが解除された状態を示す図である。
【図１４】図１３の矢印XIV方向から見た図である。
【図１５】図１３および図１４の状態から手摺りが水平状態になるよう倒した状態を示す平面図である。
【図１６】図１５の矢印XVI方向から見た図である。
【図１７】図１５および図１６の状態から手摺りが垂下状態になるよう倒した状態を示す平面図である。
【図１８】図１７の矢印XVIII方向から見た要部拡大図である。
【図１９】本発明実施の形態に係るベッド用手摺りの変形例を示し、手摺りが起立した状態を示す斜視図である。
【図２０】図１９の状態から手摺りを水平に倒した状態を示す斜視図である。
【図２１】図２０の状態から手摺りが垂下した状態になるまで倒した状態を示す斜視図である。
【図２２】本発明実施の形態に係るベッド用手摺りの別の変形例を示し、手摺りが起立した状態を示す斜視図である。
【図２３】図２２の状態から手摺りを水平に倒した状態を示す斜視図である。
【図２４】図２３の状態から手摺りが垂下した状態になるまで倒した状態を示す斜視図である。
【符号の説明】
１ 介護用ベッド
３Ｈ，３Ｆ 短側板
３Ｌ，３Ｒ 長側板
３Ｈ，３Ｌ，３Ｒ，３Ｈ 周縁板（手摺りが取り付けられる縁）
５ ベッド上面（ベッド主面）
９ 手摺り
９ａ 主面（手摺り起立時における側面相当部）
１０ 並び線（手摺回動軸）
１１ 蝶番
１１ａ 揺動片
１１ｂ 揺動片
１２ 軌道
１３ 保持具
１５ 起立位置保持手段
１７ 水平位置保持手段
１９ 軸線（非同一な軸線）
２１ 移動軸
２３ 軸受
２５ スライド式把手
２８ 力棒
３２ 支点軸
３４ 作用棒
３８ 回動板
３８ａ 一縁
４０ 回動軸
４２ ピニオン部
５０ 歯溝
５６ 棒材
５８ 板材
６２ 駆動モータ
６４ ピニオンギヤ
【図１】
0004098512.tif 000002
【図２】
0004098512.tif 000003
【図３】
0004098512.tif 000004
【図４】
0004098512.tif 000005
【図５】
0004098512.tif 000006
【図６】
0004098512.tif 000007
【図７】
0004098512.tif 000008
【図８】
0004098512.tif 000009
【図９】
0004098512.tif 000010
【図１０】
0004098512.tif 000011
【図１１】
0004098512.tif 000012
【図１２】
0004098512.tif 000013
【図１３】
0004098512.tif 000014
【図１４】
0004098512.tif 000015
【図１５】
0004098512.tif 000016
【図１６】
0004098512.tif 000017
【図１７】
0004098512.tif 000018
【図１８】
0004098512.tif 000019
【図１９】
0004098512.tif 000020
【図２０】
0004098512.tif 000021
【図２１】
0004098512.tif 000022
【図２２】
0004098512.tif 000023
【図２３】
0004098512.tif 000024
【図２４】
0004098512.tif 000025